【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
特定の状態の患者を監視するシステムであって、
プロトコル及びアラートデータベース、デバイスデータベース、センサデータベース、キットローディングソフトウェア、処置ＧＵＩを含むモニタリングソフトウェア、並びに、デバイスＧＵＩを含むプロトコル更新ソフトウェアのうちの少なくとも１つを含む、ヘルスモニタと、
少なくとも１つのキットであって、
患者ヘルスデータを取得するための１つ以上のモニタリングデバイス、並びに、
前記ヘルスモニタにメモリデバイスを接続する手段と、
１つ以上のヘルスモニタリングプロトコル及び１つ以上のアラートデータを含む少なくとも１つの条件別ソフトウェアと
を含む、当該メモリデバイス
を含む、少なくとも１つのキットと、
肺炎データベース、心臓発作回復データベース、低血糖データベース、疾患データベース、及びそれらの組み合わせから選択された少なくとも１つの疾患データベースを含む、ヘルスネットワークと
を含む、システム。
【請求項２】
前記メモリデバイスは、前記少なくとも１つのキットの前記１つ以上のモニタリングデバイスのリストを格納する、請求項１に記載のシステム。
【請求項３】
前記ヘルスモニタは、プロトコル及びアラートデータベース、デバイスデータベース、センサデータベース、キットローディングソフトウェア、処置ＧＵＩを含むモニタリングソフトウェア、並びに、デバイスＧＵＩを含むプロトコル更新ソフトウェアの各々を含む、請求項１に記載のシステム。
【請求項４】
前記ヘルスネットワークは、前記ヘルスモニタに接続されたクラウドネットワークを介してアクセスされる、請求項１に記載のシステム。
【請求項５】
前記ヘルスネットワークは、肺炎データベース、心臓発作回復データベース、低血糖データベース、疾患データベース、及びそれらの組み合わせの各々を含む、請求項４に記載のシステム。
【請求項６】
前記１つ以上のモニタリングデバイスは、体温計、血圧カフ、パルスオキシメータ、及びそれらの組み合わせから選択される、請求項１に記載のシステム。
【請求項７】
前記処置ＧＵＩは、病態が監視されていること、前記１つ以上のモニタリングデバイスが患者ヘルスデータを取得していること、前記１つ以上のモニタリングデバイスによって取得された前記患者ヘルスデータ、及び、前記１つ以上のモニタリングデバイスに対応する読取り速度を示す、請求項１に記載のシステム。
【請求項８】
前記患者ヘルスデータは、血液酸素飽和度レベル、脈拍数、体温、血圧、及びそれらの組み合わせから選択される、請求項１に記載のシステム。
【請求項９】
特定の状態の患者を監視する方法であって、
接続が検出されるまで、ヘルスモニタにメモリデバイスを接続するためにポーリングするステップと、
１つ以上のモニタリングデバイスのリストをデバイスデータベースにアップロードして格納するステップであって、各モニタリングデバイスは患者のヘルスデータを取得するステップと、
前記メモリデバイスからプロトコル及びアラートデータベースに、ヘルスモニタリングプロトコル及びアラートデータをアップロードして格納するステップと、
クラウドネットワークを介してヘルスネットワークにアクセスするステップと、
前記プロトコル及びアラートデータベースを少なくとも１つの疾患データベースと比較するステップと、
前記プロトコル及びアラートデータベースと前記少なくとも１つの疾患データベースとの差異を検出するステップと、
前記少なくとも１つの疾患データベースと一致するように、前記ヘルスモニタの前記プロトコル及びアラートデータベースを更新するステップと、
前記接続が検出されるまで、前記ヘルスモニタに前記１つ以上のモニタリングデバイスを接続するためにポーリングするステップと、
アラートデータに基づき１つ以上のヘルスモニタリングプロトコルを実行するステップと
を含む、方法。
【請求項１０】
前記ヘルスモニタ上に処置ＧＵＩを表示するステップと、
前記１つ以上のモニタリングデバイスの読取り速度を決定するために前記プロトコル及びアラートデータベースにアクセスするステップと、
前記読取り速度を前記処置ＧＵＩ上に表示するステップと、
読取りのために前記１つ以上のモニタリングデバイスをポーリングするステップと、
ポーリングされた読取り値をセンサデータベース内に格納するステップと、
前記ポーリングされた読取り値を前記処置ＧＵＩ上に表示するステップと、
前記少なくとも１つのモニタリングデバイスの各々について最新のポーリングされた読取りの時間を決定するために前記センサデータベースにアクセスするステップと、
前記モニタリングデバイスの前記読取り速度に基づき、次に予定された読取り時間から、現在の時間を差し引くことによって、時間差を計算するステップと、
計算された前記時間差を前記処置ＧＵＩ上に表示するステップと、
前記プロトコル及びアラートデータベースにアクセスし、前記１つ以上のモニタリングデバイスに対応するアラート動作を実行するステップと、
プロトコル更新ソフトウェアを実行するステップと
をさらに含む、請求項９に記載の方法。
【請求項１１】
前記ヘルスネットワークにアクセスするステップと、
キットに対応する前記少なくとも１つの疾患データベースを前記センサデータベースの最新のエントリと比較するステップと、
対応する前記ヘルスネットワークのデータベース上のマッチングデバイス、ヘルス信号、読取り速度、及びアラート動作データを前記ヘルスモニタの前記プロトコル及びアラートデータベースに格納するステップと、
前記プロトコル及びアラートデータベースを前記デバイスデータベースと比較し、前記デバイスデータベースから欠落しているモニタリングデバイスが前記プロトコル及びアラートデータベース内に存在すると判断するステップと、
前記決定された欠落しているデバイスを前記デバイスデータベースに格納するステップと、
デバイスＧＵＩを表示するステップと、
前記決定された欠落しているデバイスを前記デバイスＧＵＩ上に表示するステップと、
前記デバイスデータベース内の前記１つ以上のモニタリングデバイスの全てに対する接続が検出されるまで、前記デバイスデータベース内の前記１つ以上のモニタリングデバイスの接続をポーリングするステップと
をさらに含む、請求項１０に記載の方法。
【請求項１２】
前記処置ＧＵＩは、病態が監視されていること、前記１つ以上のモニタリングデバイスが患者ヘルスデータを取得していること、前記１つ以上のモニタリングデバイスによって取得された前記患者のヘルスデータ、及び、前記１つ以上のモニタリングデバイスに対応する前記読取り速度を示す、請求項１０に記載の方法。
【請求項１３】
前記患者のヘルスデータは、血液酸素飽和度レベル、脈拍数、体温、血圧、及びそれらの組み合わせから選択される、請求項９に記載の方法。
【請求項１４】
前記ヘルスネットワークは、肺炎データベース、心臓発作回復データベース、低血糖データベース、疾患データベース、及びそれらの組み合わせから選択された少なくとも１つの疾患データベースを含む、請求項９に記載の方法。
【請求項１５】
前記１つ以上のモニタリングデバイスは、体温計、血圧カフ、パルスオキシメータ、及びそれらの組み合わせから選択される、請求項９に記載の方法。